(57)【要約】【課題】  マーキング作業を簡単に実施できる技術を提供する。【解決手段】  マーキング装置は、支持部材と、アーム部材とを備えている。支持部材は、対物レンズの鏡筒の軸長方向に移動可能に、この鏡筒の外周に固定される。アーム部材は、対物レンズの鏡筒の軸長方向に略直交する方向を軸とした回転が可能に支持部材に固定されていると共に、回転したときに対物レンズと標本との間に位置する部分に、マーキングするためのマーカを有している。このため、アーム部材の回転運動により、マーカを観察視野内に出し入れすることができる。そして、マーカが観察視野内にある状態で、対物レンズの鏡筒の長軸方向に支持部材を標本側に移動させることで、マーキングできる。従って、非常に簡単な操作でマーキング作業を実施できる。【選択図】      図２
2005128348.tif 000002
【特許請求の範囲】
【請求項１】
顕微鏡で観察する標本の所望の部位にマーキングするためのマーキング装置であって、
対物レンズの光軸方向に移動可能に、対物レンズ鏡筒の外周に設置される支持部材と、
前記支持部材に設けられ、マーキング時にマーカの位置を、前記対物レンズと前記標本との間であり且つ略前記光軸上の位置と、前記マーキング時の位置から前記マーカを待避させる位置とに切り替えるマーカ保持部材とを有し、
前記支持部材は、マーキング時、前記光軸に沿って移動する
ことを特徴とするマーキング装置。
【請求項２】
顕微鏡で観察する標本の所望の部位にマーキングするためのマーキング装置であって、
対物レンズの鏡筒の軸長方向に移動可能に、前記鏡筒の外周に固定される支持部材と、
前記軸長方向に略直交する方向を軸とした回転が可能に前記支持部材に固定されていると共に、回転したときに前記対物レンズと前記標本との間に位置する部分に、マーキングするためのマーカを有するアーム部材と
を備えていることを特徴とするマーキング装置。
【請求項３】
請求項２記載のマーキング装置において、
前記対物レンズが取り付けられるレボルバに一端側が着脱自在に固定され、他端側が前記支持部材に固定され、前記支持部材が前記軸長方向の前記標本側に移動したときに、形状復元力により前記支持部材を前記レボルバ側に引く弾性部材を備えている
ことを特徴とするマーキング装置。
【請求項４】
請求項２または請求項３記載のマーキング装置において、
前記アーム部材の回転によって前記マーカが前記顕微鏡の観察視野内に位置したときに、前記アーム部材に接触することによって、前記アーム部材がさらに回転することを防止する突起を前記支持部材の外周部に有している
ことを特徴とするマーキング装置。
【請求項５】
請求項１〜請求項４のいずれか１項記載のマーキング装置が鏡筒の外周に装着されていることを特徴とする対物レンズ。
【請求項６】
対物レンズ及び接眼レンズを有し、標本の像を形成する結像光学系と、
前記対物レンズの鏡筒の外周に装着された請求項１〜請求項４のいずれか１項記載のマーキング装置と
を備えていることを特徴とする顕微鏡。
【発明の詳細な説明】
【技術分野】
【０００１】
本発明は、顕微鏡に関する。特に本発明は、正立顕微鏡のマーキング装置に関する。
【背景技術】
【０００２】
顕微鏡により細胞などを検査する場合、検査者は、標本中に再検鏡を必要とする着目部位（例えばガン細胞）を発見すると、この着目部位の近傍に赤インクなどによるマーキングを行っている。そして、検査者は、再検鏡時にはこれを目印として、着目部位を簡単に見つけている。ここで、従来のマーキング方法の説明の前に、その説明に必要となる顕微鏡の構成を簡単に説明する。
【０００３】
図１０は、従来の正立顕微鏡の一例を示す概略構成図である。図に示すように、正立顕微鏡６は、顕微鏡本体１０と、内部に光源１４を有するランプハウス１８とで構成されている。顕微鏡本体１０は、ベース部２０と、支柱部２２と、ステージ部２４と、対物レンズ部２６と、レボルバ部２８と、アーム部３０と、鏡筒部３２と、接眼部３４とで構成されている。
【０００４】
ベース部２０には、フィールドレンズ３８と、観察光軸Ｌに対して４５°傾けて配置された全反射ミラー４０と、レンズ４２と、コレクタレンズ４４とが収納されている。ステージ部２４は、不図示の直線ガイド機構によって上下方向（観察光軸Ｌの方向）に移動可能に、支柱部２２に支持されている。また、ステージ部２４には、コンデンサレンズ４８が取り付けれている。アーム部３０は、支柱部２２に対して片持ち状態で取り付けられている。アーム部３０の下面に取り付けられたレボルバ部２８には、例えば２本の対物レンズ（５２ａ及び５２ｂ）が取り付けられている。アーム部３０の上面に取り付けられた鏡筒部３２には、鏡筒内対物レンズ５６及びプリズム５８、６０が設けられている。接眼部３４には、接眼レンズ６２が設けられている。
【０００５】
透過照明による検鏡を行う場合、レボルバ部２８を回転させることでいずれかの対物レンズ（５２ａまたは５２ｂ）の光軸を観察光軸Ｌに合わせ、さらに光源１４を点灯させる。光源１４から出射された光は、コレクタレンズ４４、レンズ４２を透過して、全反射ミラー４０により直角に光路を変え、フィールドレンズ３８、コンデンサレンズ４８を透過して、ステージ部２４上の観察標本６６を下方から照明する。検査者は、対物レンズ（５２ａまたは５２ｂ）によって所定の倍率で拡大された観察標本６６の像を、鏡筒内対物レンズ５６、プリズム５８、６０、接眼レンズ６２を介して観察する。
【０００６】
そして、従来のマーキングの一方法では、マーキング用のペンの長さ方向が観察光軸に対して斜めになるように、且つ、ペンがその長さ方向に移動可能になるように、ペンを対物レンズに取り付けている（特許文献１の図１０参照）。そして、ペンをその長さ方向に移動させることで、マーキングするようにしている。
【特許文献１】特開平９−７３０３３号公報  （第２−７項、図１−図１１）
【発明の開示】
【発明が解決しようとする課題】
【０００７】
しかしながら、特許文献１の方法では、ペンを標本に対して斜め上方からマーキングすることになる。このため、マーキングしたい位置に的確にマーキングできない問題があった。
本発明の目的は、マーキング作業を簡単に且つ的確に実施できる技術を提供することである。
【課題を解決するための手段】
【０００８】
請求項１の発明は、顕微鏡で観察する標本の所望の部位にマーキングするためのマーキング装置であり、支持部材と、マーカ保持部材とを有する。支持部材は、対物レンズの光軸方向に移動可能に、対物レンズ鏡筒の外周に設置される。マーカ保持部材は、支持部材に設けられ、マーキング時にマーカの位置を、対物レンズと標本との間であり且つ略光軸上の位置と、マーキング時の位置からマーカを待避させる位置とに切り替える。また、支持部材は、マーキング時、光軸に沿って移動する。
【０００９】
請求項２の発明は、顕微鏡で観察する標本の所望の部位にマーキングするためのマーキング装置であり、支持部材と、アーム部材とを備えていることを特徴とする。支持部材は、対物レンズの鏡筒の軸長方向に移動可能に、この鏡筒の外周に固定される。アーム部材は、対物レンズの鏡筒の軸長方向に略直交する方向を軸とした回転が可能に支持部材に固定されていると共に、回転したときに対物レンズと標本との間に位置する部分に、マーキングするためのマーカを有している。
【００１０】
請求項３のマーキング装置は、請求項２の発明において、弾性部材を備えていることを特徴とする。弾性部材の一端側は、対物レンズが取り付けられるレボルバに着脱自在に固定され、弾性部材の他端側は、支持部材に固定される。対物レンズの鏡筒の軸長方向に標本側に支持部材が移動したときに、弾性部材は、形状復元力により支持部材をレボルバ側に引く。
【００１１】
請求項４のマーキング装置は、請求項２または請求項３の発明において、突起を支持部材の外周部に有していることを特徴とする。アーム部材の回転によってマーカが顕微鏡の観察視野内に位置したときに、この突起は、アーム部材に接触することによって、アーム部材がさらに回転することを防止する。
請求項５の対物レンズは、請求項１〜請求項４のいずれかのマーキング装置が鏡筒の外周に装着されていることを特徴とする。
【００１２】
請求項６の顕微鏡は、結像光学系と、マーキング装置とを備えている。結像光学系は、対物レンズ及び接眼レンズを有し、標本の像を形成する。マーキング装置は、請求項１〜請求項４のいずれかのものであり、対物レンズの鏡筒の外周に装着される。
【発明の効果】
【００１３】
本発明では、簡単な操作で、マーキングしたい位置に的確にマーキングできる。
【発明を実施するための最良の形態】
【００１４】
以下、図面を用いて本発明の実施の形態を説明する。
＜本実施形態の構成＞
図１は、本実施形態の正立顕微鏡７０の構成図である。前述した従来の正立顕微鏡６と同一の要素には同一符号を付しており、重複する説明を省略する。図に示すように、正立顕微鏡７０は、本発明のマーキング装置７４が対物レンズ５２ａに装着されていることと、レボルバ部７６の形状が異なることを除き、前述した正立顕微鏡６とほぼ同様である。なお、請求項記載の結像光学系は、例えば、対物レンズ５２ａ、レボルバ部７６、アーム部３０、鏡筒内対物レンズ５６、プリズム５８、６０、及び接眼レンズ６２に対応する。
【００１５】
図２は、マーキング装置７４の詳細を示す側面図である。図に示すように、マーキング装置７４は、固定ねじ８０と、バネ取付用金具８２と、引っ張りバネ８４（請求項記載の弾性部材に対応）と、固定ねじ８６と、バネ取付用突起部８８と、直動ガイド部材９０（斜線部分、請求項記載の支持部材に対応）と、ピン９２と、ストッパ用突起９４と、マーカ保持部材であるアーム部材９６と、インク供給部材９８とを有している。
【００１６】
バネ取付用金具８２の一端側は、固定ねじ８０により、レボルバ部７６にねじ止めされている。バネ取付用金具８２の他端側は、取付穴１１０（後述する図３参照）を有している。この取付穴１１０には、引っ張りバネ８４の先端が引っ掛けられている。
バネ取付用突起部８８は、直動ガイド部材９０の外周にねじ止め等により固定されている。なお、バネ取付用突起部８８は、直動ガイド部材９０と一体形成されていてもよい。このバネ取付用突起部８８には、引っ張りバネ８４のもう一方の先端が引っ掛けられている。そして、引っ張りバネ８４の先端部は、固定ねじ８６により、バネ取付用突起部８８に固定されている。
【００１７】
アーム部材９６は、突出部１２０と、マーカ操作ノブ１２２と、マーカ支持アーム１２４と、マーカ取付アーム１２６と、標本にマーキングするためのマーカ１２８とを有している。なお、突出部１２０は、マーカ支持アーム１２４と一体形成されている（後述する図３参照）。また、後述するように、アーム部材９６は、対物レンズ５２ａの鏡筒の長軸に直交する線を軸とした回転ができるように、直動ガイド部材９０に取り付けられている。
【００１８】
直動ガイド部材９０は、筒状に形成されており、その内径は、対物レンズ５２ａの外径とほぼ等しい。即ち、直動ガイド部材９０は、対物レンズ５２ａの鏡筒の長軸方向に移動可能なように、対物レンズ５２ａに嵌合されている。また、直動ガイド部材９０は、引っ張りバネ８４によりレボルバ部７６側に引っ張られており、直動ガイド部材９０及びアーム部材９６に働く重力が引っ張りバネ８４の形状復元力と釣り合った位置で固定されている。
【００１９】
さらに、直動ガイド部材９０には、ピン９２を嵌め込むための円筒状の取付穴１３０（後述する図７参照）が一体形成されている。ピン９２は、円筒状に形成されており、取付穴１３０に着脱自在に嵌合されている。なお、ピン９２は、その長さが取付穴１３０の深さより長いので、取付穴１３０に嵌合された状態においても、その一部が取付穴１３０から突出している。また、直動ガイド部材９０の外周上には、アーム部材９６の回転を所定の位置で止めるためのストッパ用突起９４が取り付けられている。なお、ストッパ用突起９４は、直動ガイド部材９０と一体形成されていてもよい。
【００２０】
インク供給部材９８は、ストッパ用突起１４０と、Ｌ字型に折曲された取付金具１４２と、インク蓄積部１４４とを有している。図に示すように、ピン９２が取付穴１３０に嵌合されており、ピン９２の下側に突出部１２０が接触している状態では、アーム部材９６は、マーカ支持アーム１２４がストッパ用突起１４０に接触した状態で固定される。この状態では、アーム部材９６の回転は防止され、マーカ１２８は、インク蓄積部１４４の朱肉１４６（後述する図３参照）に接触して、その先端にインクを付着される。一方、ピン９２が取付穴１３０から取り外された状態では、アーム部材９６は、回転可能な状態になる。そして、アーム部材９６が回転することによって対物レンズ５２ａの鏡筒の長軸上にマーカ１２８の中心が位置したときに、ストッパ用突起９４が突出部１２０に接触するように、ストッパ用突起９４は位置している。
【００２１】
図３は、マーキング装置７４の詳細を示す斜視図である。図に示すように、バネ取付用金具８２の他端側には、引っ張りバネ８４の先端を引っ掛けるための取付穴１１０が形成されている。また、取付金具１４２は、２つのねじ１４８によってレボルバ部７６にねじ止めされている。即ち、ねじ１４８を取り外すことで、インク供給部材９８をレボルバ部７６から取り外すことができる。インク蓄積部１４４は、２本のねじ１５０により取付金具１４２にねじ止めされている。インク蓄積部１４４の中央には、取付金具１４２まで貫通する筒状の貫通穴１５４が形成されている。さらに、取付金具１４２における貫通穴１５４に重なる位置にも、貫通穴１５４と同じ形状及び大きさの貫通穴１５６が形成されている。これら貫通穴１５４、１５６には、前記した朱肉１４６が嵌め込まれている。
【００２２】
図４は、マーキング装置７４の断面図である。図に示すように、マーカ支持アーム１２４には、直動ガイド部材９０側に突出した円筒状の回転部１７０が一体形成されている。回転部１７０の長軸は、マーカ操作ノブ１２２の中心を通ると共に、対物レンズ５２ａの鏡筒の長軸に直交する。また、直動ガイド部材９０には、回転部１７０と同じ形状の穴が形成されており、この穴には、回転部１７０が回転可能に嵌合されている。従って、マーカ操作ノブ１２２を回すことにより、アーム部材９６を回転させることができる。
【００２３】
図５は、マーカ１２８の詳細を示す斜視図である。図に示すように、マーカ１２８の先端には、マーキングする瞬間にも標本を観察可能にするための貫通穴１７４が形成されている。この貫通穴の外周部には、標本に接触して印を付けるための環状の突起１７６（斜線部分）が形成されている。図２に示したようにピン９２の下側に突出部１２０が接触した状態では、突起１７６の先端は、図３に示した朱肉１４６に接触する。これにより、突起１７６の先端にはインクが付着される。
【００２４】
＜本実施形態の動作説明＞
次に、検査者が標本にマーキングを行う際の、マーキング装置７４の操作を説明する。図６は、対物レンズ５２ａの光軸が観察光軸Ｌに合わさっており、マーカ１２８が観察光軸Ｌから待避している状態を示す側面図である。なお、（ａ）は引っ張りバネ８４側から見た側面図であり、（ｂ）はマーカ操作ノブ１２２側から見た側面図である（後述する図７、図８についても同様）。検査者は、例えば、図６の状態で正立顕微鏡１０のステージ部２４を操作して、観察標本６６を観察する。この状態では、直動ガイド部材９０と、レボルバ部７６との間隔は、Ｌであるとする。
【００２５】
マーキングしたい部位を見つけた場合、検査者は、例えば、マーキングしたい部位を観察視野の中心（即ち、観察光軸Ｌ上）に移動させた後、ピン９２を直動ガイド部材９０から取り外す。これにより、アーム部材９６は、回転可能な状態になる。次に、検査者は、アーム部材９６の突出部１２０がストッパ用突起９４に接触するまで、マーカ操作ノブ１２２を回してアーム部材９６を回転させる。
【００２６】
突出部１２０がストッパ用突起９４に接触して回転が停止した状態では、マーカ１２８の中心が観察光軸Ｌに合わさる。このため、検査者は、マーカ１２８の中心に形成された貫通穴１７４を通して、観察標本６６におけるマーキングしたい部位を観察できる。図７は、このようにマーカ１２８を観察光軸Ｌに合わせた状態を示す側面図である。なお、この状態においても、直動ガイド部材９０と、レボルバ部７６との間隔は、Ｌである。
【００２７】
検査者は、図７の状態において、自分がマーキングした部位かどうかを接眼レンズ６２を通して確認後、問題なければマーカ操作ノブ１２２を下方（観察標本６６側に向けて）に押して、直動ガイド部材９０を下方に長さΔＬだけ摺動させる。これにより、引っ張りバネ８４は、長さΔＬだけ伸び、直動ガイド部材９０に取り付けられたアーム部材９６は長さΔＬだけ下方に移動し、マーカ１２８の突起１７６の先端は観察標本６６に接触する。従って、観察標本６６にマーキングがされる。
【００２８】
図８は、上述のようにマーカ１２８の突起１７６が観察標本６６に接触して、マーキングされる状態を示している。この状態では、直動ガイド部材９０と、レボルバ部７６との間隔は、Ｌ＋ΔＬである。マーキング後は、マーカ操作ノブ１２２に対して下方に加えた力を緩めれば、引っ張りバネ８４の形状復元力により、直動ガイド部材９０は摺動して元の位置に戻る。
【００２９】
＜本実施形態の効果＞
本実施形態では、マーカ操作ノブ１２２を回すだけで、アーム部材９６の回転運動によりマーカ１２８を観察視野内に出し入れできる。そして、マーカ１２８を観察視野内に入れた状態で直動ガイド部材９０を観察標本６６側に摺動させるだけで、マーキングできる。従って、非常に簡単な操作で、まさにスタンプを押す感覚で、マーキングしたい位置に的確にマーキングできる。
【００３０】
マーカ１２８の観察視野内への出し入れは、回転運動により行うものであるため、マーカ１２８が移動する軌跡は固定となる。即ち、検査者が手動で調整を行う操作は全くないので、ワーキングディスタンスが狭くても、対物レンズ５２ａや観察標本６６を傷つけるおそれがない。この結果、安全にマーキング作業を実施できる。
また、アーム部材９６が所定の角度回転すると、突出部１２０がストッパ用突起９４に接触して、それ以上の回転は防止される。このときにマーカ１２８の中心が観察光軸Ｌに合わさるように、突出部１２０は位置している。従って、検査者は、マーキングしたい部位を観察視野の中心に移動させるだけで、この部位を中心としたマーキングをすることができる。
【００３１】
さらに、マーカ１２８の中心に貫通穴１７４を形成した。このため、検査者は、直動ガイド部材９０を摺動させてマーキングする瞬間及びその前後においても、貫通穴１７４を通して観察標本６６を観察できる。従って、終始に亘って標本を観察しながらマーキング作業を実施できる。
固定ねじ８０により、バネ取付用金具８２をレボルバ部７６にねじ止めするようにした。即ち、固定ねじ８０を取り外せば、マーキング装置７４を対物レンズ５２ａから取り外せる。従って、マーキング装置７４は、対物レンズに対して着脱可能であるので、所望の対物レンズに取り付けることができる。
【００３２】
このような高機能のマーキング装置７４は、引っ張りバネ８４、直動ガイド部材９０、アーム部材９６等による、簡易な構成で実現されるため、その製造コストを低くできる。また、マーキング用ペンを用いない簡易な構成なので、マーキング装置を対物レンズに取り付ける構成が複雑になることはない。従って、対物レンズを取り付けるレボルバへの負担が大きくなり、レボルバの操作性が悪化してしまうという特許文献１の問題は解消される。
【００３３】
さらに、インク供給部材９８を設けることにより、マーカ１２８が観察光軸Ｌから待避している状態では、マーカ１２８の突起１７６の先端に常時インクが付着されるようにした。このため、検査者は、マーキングの都度マーカ１２８にインクを付着する必要がなく、マーキング作業をより容易にできる。また、インク供給部材９８はレボルバ部７６に着脱自在にねじ止めされているので、インク供給部材９８を取り外すことにより、レボルバ部７６をさらに軽くすることも可能である。
【００３４】
＜本実施形態の補足事項＞
［１］  なお、マーキングしたい部位を観察視野の中心に移動させた後、アーム部材９６を回転させ、マーカ１２８の中心を観察光軸Ｌに合わせてから、直動ガイド部材９０を摺動させてマーキングする例を述べた。本発明は、かかる実施形態に限定されるものではない。マーカ１２８の中心の貫通穴１７６を通して標本を観察できるので、アーム部材９６を回転させてマーカ１２８の中心を観察光軸Ｌに合わせてから、ステージを操作してマーキングしたい部位を探すことも可能である。
【００３５】
［２］  マーキングを行わない状態（マーカ１２８を観察光軸Ｌから待避させた状態）において、ピン９２によりアーム部材９６の回転を防止する例を述べた。本発明は、かかる実施形態に限定されるものではない。例えば、ストッパ用突起１４０を磁石で形成すると共にマーカ支持アーム１２４を鉄で形成してもよい。この場合、ピン９２、取付穴１３０、及び突出部１２０は不要である。なぜなら、ストッパ用突起１４０とマーカ支持アーム１２４との間に働く磁気的結合力により、マーキングを行わない状態におけるアーム部材９６の回転が防止されるからである。
【００３６】
［３］  引っ張りバネ８４により、直動ガイド部材９０を保持する例を述べた。本発明は、かかる実施形態に限定されるものではない。バネの代わりに、例えばゴムを用いて直動ガイド部材９０を保持するようにしてもよい。或いは、形状復元力を有さない素材を用いて直動ガイド部材９０を保持してもよい。例えば、図９に示すように、吸盤１８０と、吸盤１８０に形成された穴（図示せず）に一端側が引っ掛けられると共に、他端側がバネ取付用突起部８８に引っ掛けられる形状の固定用部材１８２を用いてもよい。この場合、固定ねじ８０、バネ取付用金具８２、引っ張りバネ８４を用いず、固定用部材１８２の他端を固定ねじ８６によりバネ取付用突起部８８に固定する。そして、吸盤１８０をレボルバ部７６に吸着させることにより、固定用部材１８２を介して直動ガイド部材９０を保持する。マーキングする際には、マーカ１２８を観察光軸Ｌに合わせてから、吸盤１８０をレボルバ部７６から引き離して、直動ガイド部材９０を摺動可能な状態にすればよい。
【００３７】
［４］  アーム部材９６が、対物レンズの鏡筒の長軸方向に直交する方向を軸として回転する例を述べた。本発明は、かかる実施形態に限定されるものではない。アーム部材９６の回転の軸方向は、操作に支障のない範囲で、対物レンズの鏡筒の長軸方向に直交する方向から若干ずれていてもよい。ここでの『操作に支障のない範囲』とは、対物レンズ及び標本に接触するおそれが全くなく、且つ、アーム部材９６の回転運動によってマーカ１２８をワーキングディスタンスにおける観察視野内に挿入できる範囲である。このように操作に支障のない範囲で若干ずれていてもよい範囲が、請求項記載の『略直交』の略に対応する。
【００３８】
［５］  マーキング装置７４がインク供給部材９８を有している例を述べた。本発明は、かかる実施形態に限定されるものではない。インク供給部材９８がない構成でもよい。
【産業上の利用可能性】
【００３９】
以上詳述したように本発明は、顕微鏡の分野において多いに利用可能である。
【図面の簡単な説明】
【００４０】
【図１】本実施形態の正立顕微鏡の構成図である。
【図２】本実施形態のマーキング装置の側面図である。
【図３】本実施形態のマーキング装置の斜視図である。
【図４】本実施形態のマーキング装置の断面図である。
【図５】マーカの詳細を示す斜視図である。
【図６】対物レンズの光軸が観察光軸Ｌに合わさっており、マーカが観察光軸Ｌから待避している状態を示す側面図である。
【図７】マーカの中心を観察光軸Ｌに合わせた状態を示す側面図である。
【図８】マーカの突起が観察標本に接触して、マーキングされる状態を示す側面図である。
【図９】引っ張りばねを用いない場合において、直動ガイド部材を保持する部材の一例を示す斜視図である。
【図１０】従来の正立顕微鏡の一例を示す概略構成図である。
【符号の説明】
【００４１】
６  正立顕微鏡
１０  顕微鏡本体
１４  光源
１８  ランプハウス
２０  ベース部
２２  支柱部
２４  ステージ部
２６  対物レンズ部
２８  レボルバ部
３０  アーム部
３２  鏡筒部
３４  接眼部
３８  フィールドレンズ
４０  全反射ミラー
４２  レンズ
４４  コレクタレンズ
４８  コンデンサレンズ
５２ａ、５２ｂ  対物レンズ
５６  鏡筒内対物レンズ
５８、６０  プリズム
６２  接眼レンズ
６６  観察標本
７０  正立顕微鏡
７４  マーキング装置
７６  レボルバ部
８０  固定ねじ
８２  バネ取付用金具
８４  引っ張りバネ
８６  固定ねじ
８８  バネ取付用突起部
９０  直動ガイド部材
９２  ピン
９４  ストッパ用突起
９６  アーム部材
９８  インク供給部材
１１０  取付穴
１２０  突出部
１２２  マーカ操作ノブ
１２４  マーカ支持アーム
１２６  マーカ取付アーム
１２８  マーカ
１３０  取付穴
１４０  ストッパ用突起
１４２  取付金具
１４４  インク蓄積部
１４６  朱肉
１４８  ねじ
１５０  ねじ
１５４、１５６  貫通穴
１７０  回転部
１７４  貫通穴
１７６  突起
１８０  吸盤
１８２  固定用部材
Ｌ  観察光軸
Ｍ  検査者の眼
【図１】
2005128348.tif 000003
【図２】
2005128348.tif 000004
【図３】
2005128348.tif 000005
【図４】
2005128348.tif 000006
【図５】
2005128348.tif 000007
【図６】
2005128348.tif 000008
【図７】
2005128348.tif 000009
【図８】
2005128348.tif 000010
【図９】
2005128348.tif 000011
【図１０】
2005128348.tif 000012